(57)【要約】【課題】遊技機の設置角度を調節可能にするとともに前記設置角度を検知して自動的に所定の角度を維持する装置を提供することを目的とする。【解決手段】パチンコ機の外枠２１に取り付けられ外枠２１の傾きを検知する角度検知装置４０と、島枠１０に取り付けられ前記外枠２１の下板２２を動かして外枠２１の傾きを調整する駆動装置５０とを備える。角度検知装置４０は、検知部と表示部と角度設定部と制御部とからなり、前記外枠２１の傾きを常に検知する。検知した前記傾きが前記角度設定部の指示した設定角度と異なる時は、駆動装置５０を作動して、外枠２１の傾きが前記設定角度となるように外枠２１の下板２４を動かす。前記検知部によって検知した角度は前記制御部に設けられた半導体メモリに記憶され、同時に、前記表示部に設定角度と異なることを表示するとともに、表示を点滅させて警告を発する。【選択図】図２
2008284280.tif 000002
【特許請求の範囲】
【請求項１】
遊技場に設けられた島設備に前後方向に傾きを持って取り付けられる外枠と、前記外枠の枠内に取り付けられた遊技機本体と、を備えた遊技機の設置角度を、自動的に調節する装置において、
前記外枠に取り付けられ、前記遊技機本体の傾きを検知する角度検知手段と、
前記島設備に取り付けられ、前記角度検知手段の検知結果に基づいて前記外枠を動かし、前記遊技機本体の傾きを調節する駆動装置と、を備えたことを特徴とする遊技機の設置角度自動調節装置。
【請求項２】
前記角度検知手段は、
前記遊技機本体の傾きを常時または定期的に検知する検知部と、
前記遊技機本体の傾きを指示する角度設定部と、を備え、
前記検知部の検知結果が前記角度設定部の設定角度と異なる時は、前記駆動装置に対して補正指示信号を発信して、前記遊技機本体が前記設定角度を維持するようにしたことを特徴とする請求項１記載の遊技機の設置角度自動調節装置。
【請求項３】
前記角度検知手段は、前記検知部の検知結果が前記角度設定部の設定角度と異なる時は、検知した角度を記録するとともに報知することを特徴とする請求項２記載の遊技機の設置角度自動調節装置。
【発明の詳細な説明】
【技術分野】
【０００１】
本発明は、遊技場の島設備に前後方向に傾けて設置した複数台の遊技機について、前記遊技機の傾斜角度を調節可能にするとともに前記傾斜角度を検知して設定した角度を自動的に維持するようにした遊技機の設置角度自動調節装置に関する。
【背景技術】
【０００２】
遊技場の遊技設備は、遊技者が遊技を楽しむための遊技機と、それを設置する所謂島設備からなり、複数台の前記遊技機が前記島設備に並べて設置される。前記遊技機は、遊技盤を備えた遊技機本体と遊技機本体を支える外枠からなり、前記外枠は、前記島設備に対して前後方向に傾斜して取り付けられ、例えば、代表的な遊技機であるパチンコ機では、一般的に、下部が上部に対して僅かに手前になるように島設備に釘などで固定されている。前記遊技機に傾斜をつけることで、前記遊技盤を流下する遊技球が障害釘に当りながら流下する際に、障害釘の根本に絡み付き遊技盤面を流下する時間が長くなる。これによって遊技球一個当りの遊技時間（遊技者が遊技球の流下する状態を見守りながら入賞を期待する時間）を長くすることができる。
【０００３】
遊技機の傾斜角度は、遊技時間に影響するだけでなく当たり率にも影響する。このため遊技機を島設備に取り付ける時には、傾斜角度に十分な注意を払っており、遊技機の前後方向の傾斜角度を調整しながら、外枠の上板及び下板を島設備の上板と下板にそれぞれ釘などで打ち付け、島設備に遊技機を傾斜させた状態で固定している。
【０００４】
下記特許文献１には、外枠の上板を島設備に釘で固定した後、外枠の下板に設けた長孔と、この長孔に沿って設けた係止帯と、この係止帯に対して変位可能にした固定部材と、固定部材を島設備に固定保持するネジ孔と、固定部材と下板との相対的変位関係を示し得る目盛とによって構成し、固定部材を所定角度に相当する目盛位置に合わせて固定することによって外枠を所定角度だけ傾けて固定する遊技機の設置角度調整装置が記載されている。
【０００５】
下記特許文献２には、島設備の下部に手動によって回転するウォームギヤを備え、ウォームギヤに係合する平歯を遊技機の外枠下部に設け、遊技機を島設備に取り付ける際に、ウォームギヤと平歯とを係合させて、外枠下部を前後に調節可能にした傾斜角度調整装置が記載されている。
【特許文献１】実開平０４−０８８９９０号公報
【特許文献２】特開平０８−１１２４１４号公報
【発明の開示】
【発明が解決しようとする課題】
【０００６】
しかしながら、前述の特許文献１および２に示された方法では、現在の傾斜角度を正しく把握することが難しく、傾斜角度の微妙な調整は、熟練した作業者の勘に頼らざるを得ないし、傾斜角度の調整には多くの手間が掛かる。また、設定した後で、何らかの理由によって生じる傾斜角度のズレに対しては、特別な手立てはなく、閉店後の検査に頼ることになる。
【０００７】
本発明は、上記課題を解決するためになされたものであり、遊技機の設置角度を調節可能にするとともに前記設置角度を検知して所定の角度を自動的に維持するようにした遊技機を提供することを目的とする。
【課題を解決するための手段】
【０００８】
上記目的を達成するために、本発明の遊技機の設置角度自動調節装置は、遊技機の外枠に取り付けられて遊技機本体の傾きを検知する角度検知装置と、島設備に取り付けられ前記外枠を動かして遊技機本体の傾きを調整する駆動装置とを備える。角度検知装置は、検知部と表示部と角度設定部と制御部とからなり、常時または定期的に前記遊技機本体の傾きを検知する。検知した前記傾きが設定角度と異なる時は、前記駆動装置を作動させて、前記遊技機本体の傾きが設定角度となるように前記外枠を動かす。前記検知部によって検知した角度は検知した時間とともに、前記制御部に設けられた半導体メモリに記録され、同時に、前記表示部に設定角度と異なることを表示するとともに、表示を点滅させやて警告を発する。
【発明の効果】
【０００９】
本発明によれば、島設備に取り付けられた遊技機の取り付け角度を常時あるいは定期的に検知して、ズレを検知した時は直ちに自動的に修正するようにしたもので、これによって、多くの遊技機を短時間で正しく設定することができる。また、仮に遊技者が故意に遊技機の角度をずらすことがあっても即座に対応して、遊技機を常に正しい角度に維持しておくことができる。
【発明を実施するための最良の形態】
【００１０】
図１に示すように、遊技場に設けられる遊技設備は、島設備である島枠１０と、島枠１０に取り付けたパチンコ機（遊技機）２０とによって構成され、パチンコ機２０は、前記島枠１０に釘で固定するための外枠２１と遊技機本体３０とによって構成される。遊技機本体３０は、遊技盤３３を枠内に保持すると共に上扉３１と玉受皿３６や操作ハンドル３７を備えた下扉３２から構成される。遊技盤３３の前面にガラス板３４が覆われるように上扉３１が本体に設けられている。これら上扉３１、下扉３２は、外枠２１に設けられたヒンジ部材２２によって軸支され開閉自在になっており、必要に応じて開放して本体内部の調整やメンテナンスをすることができるようにしている。前記外枠２１は、前記島枠１０に対して所定角度（例えば、１．４°）傾いて固定される。外枠から島枠に向かって釘で固定する固定方法（図１参照）であるから頑強に固定されているのではなく、特に下部は、強い力で押せば動く。
【００１１】
図２に示すように、本発明の実施形態である遊技機の設置角度自動調節装置７は、前記遊技機本体３０を支持する前記外枠２１の左側板２３の裏面に取り付けられた角度検知装置４０と、前記島枠１０の下板１１に固定された駆動装置５０とからなり、ケーブルで接続されている。また、前記角度検知装置４０と前記駆動装置５０は図示しない電源コードから電源の供給を受けている。
【００１２】
前記角度検知装置４０は前記遊技機本体３０が取り付けられた前記外枠２１の裏面に取り付けられているのであるから、前記遊技機本体３０の傾きは前記外枠２１の傾きであって前記角度検知装置４０の傾きであり、前記角度検知装置４０の傾きを測定することは、すなわち前記遊技機本体３０の傾きを測定することになる。
【００１３】
図３に示すように、前記角度検知装置４０は、装置自体の姿勢を検知する検知部４１と、検知した姿勢を角度表示する表示部４２と、基準角度を設定する角度設定部４３と、これらを制御する制御部４４とから構成される。前記角度設定部４３は、ロータリ式の選択つまみの切替で、７段階の設定と基準角度を設定しないＯＦＦとが選択可能となっている。７段階の基準角度の設定は、例えば、１．４〜３．２°の間を６等分した角度であり、それらを順に１〜７の番号で示したものである。
【００１４】
図４に示すように、前記制御部４４は、前記検知部４１が検知した角度と前記角度設定部４３に設定された角度とを比較する比較回路４６と、前記検知した角度を記憶する半導体メモリ４８と、後述する駆動装置５０に対して補正指示信号を発信する補正指示信号発生部４７とを備える。
【００１５】
前記検知部４１によって検知された前記遊技機本体３０の傾斜角は、前記制御部４４に入力され、ＬＣＤドライバ４５を介して前記表示部４２に伝達されて表示される。また、前記検知部４１が検知した角度が前記角度設定部４３の設定角度と異なるとき、表示部４２は、点滅表示となって警告をする。この点滅表示は、前記遊技機本体３０の傾きが前記角度設定部４３の設定角度と同じになったことを検知、確認するまで続けられる。
【００１６】
前記駆動装置５０は、制御基板５６とモータ５７と減速ギヤヘッド５８と駆動部材５２と、これらを収納したケース５１およびＬ字形の取付板５３から構成されている。図５に示すように、前記駆動部材５２の先端に前記外枠２１の下板２４を押圧する押圧面５２ａが設けられ、押圧面５２ａはケース５１から突出しており、前記モータの回転によって進退する減速ギヤヘッド５８に基づいて前後する前記ケース５１は、前記駆動部材５２の押圧面５２ａと反対の側壁が前記取付板５３に固定されている。これによって前記押圧面５２ａの受ける圧力は前記ケース５１を介して前記取付板５３が受けることになる。また、取付板５３には、前記島枠１０に取り付けるための取付孔５４が設けられている。
【００１７】
次に、本発明による遊技機の設置角度自動調節装置７の作用について説明する。図６に示すように、前記角度検知装置４０は外枠２１に取り付けられる。取付孔５４（図５参照）と嵌合させたボルト（図示せず）によって前記島枠１０の下板１１に頑強に固定された取付板５３に駆動装置５０が取り付けられる。遊技場に設置されるパチンコ機２０は、非常に多い数であるから、全てのパチンコ機を同じ角度に正確に設定することは時間の掛かる作業となるため、前記パチンコ機２０の取付部材である外枠２１を前記島枠１０に対して、外枠２１を略垂直又は上方が後方にやや傾斜するよう１．０°〜１．４°の範囲を狙って適当に傾けて設置する。
【００１８】
図７のフローチャートに示すように、前段として前記外枠２１に取り付けられた前記角度検知装置４０の前記角度設定部４３を操作して例えば１のポジション、１．４°に合わせる（設置角度の設定）。電源を入れると、前記検知部４１が前記パチンコ機２０の設置角度を計測し、検知した角度情報を前記制御部４４に送る。前記制御部４４は、前記検知部４１が検知した角度と前記角度設定部４３に設定された角度とを比較し、この２つの値の間に差異を認めた場合は、検知した角度を前記半導体メモリ４８に記憶させ、前記表示部４２に点滅表示する。同時に、補正指示信号発生部から補正指示信号が駆動装置５０に対して発信される。
【００１９】
前記駆動装置５０は、モータが回転し減速ギヤヘッドを介して駆動部材５２が繰出され、駆動部材５２の前記押圧面５２ａが前記外枠２１の下板２４を押圧する。駆動部材５２によって押された下板２４は僅かに前方へ移動する。これによって前記外枠２１は傾き角が変わる。
【００２０】
前記検知装置４０の検知部４１は、前記外枠２１に取り付けられ、前記外枠２１の傾斜角度を常時検知しているので、前記外枠２１の傾斜角度が変わった時は、直ちに検出し設定角度と比較する。比較した結果に差異がある場合は前記補正指示信号を出し続ける。前記検知装置４０が前記補正指示信号を出し続けている間は、前記駆動装置５０の前記駆動部材５２は繰出され、前記外枠２１は傾き続ける。前記外枠２１の傾き角が前記角度設定部４３の設定した設定角度１．４°になるまで前記検知装置４０は前記補正指示信号を出し続け、１．４°になったことが確認されると前記補正指示信号の発信を停止する。このようにして、前記遊技場に設置された全てのパチンコ機２０が自動的に傾斜角１．４°に設定される。
【００２１】
このパチンコ機２０の傾斜角の自動補正は、前記パチンコ機２０を前記島枠１０に取り付けたときのみ作動させる訳ではなく、前記パチンコ機２０の遊技中であっても、常時、作動させる。例えば、遊技者が遊技中に前記パチンコ機２０の下部を強く押して前記パチンコ機２０の傾斜角を変えた場合、前記外枠２１に取り付けられた前記検知装置４０の前記検知部４１は、直ちにその角度の変化を検知し、前記制御部４４は、前記駆動装置５０に対して補正指示信号を発信する。補正指示信号は、前記駆動装置５０によって前記外枠２１の角度が正しい角度１．４°になるまで発信し続け、前記外枠２１は傾き角が１．４°に戻される。
【００２２】
次に、図８に示すように、前記駆動装置を前記島枠１０の上部に取り付ける場合について説明する。設置角度自動調節装置８を構成する駆動装置６０は前述の姿勢とは逆さまにして、Ｌ字形の取付板６３が前記島枠１０の上板１２にボルト６４によって頑強に固定される。前記駆動装置６０は、前記駆動装置５０と同様に制御基板５６とモータ５７と減速ギヤヘッド５８と先端に長孔６２ａ（図１０参照）が設けられた駆動部材６２と、これらを中に収めたケース６１によって構成される。
【００２３】
図９に示すように、前記ケース６１は前記駆動部材６２の先端部分が前記取付板６３に設けられた孔６３ａを貫通するように、前記取付板６３に取り付けられる。図９のＡ−Ａ矢視断面図である図１０に示すように、前記駆動部材６２の先端部分に設けられた長孔６２ａと、前記外枠２１の上板２５に取り付けられた金具７０に設けられた孔７０ａとが、軸７２によって結合している。
【００２４】
図８に戻る。外枠２１に取り付けられた角度検知装置４０の前記角度設定部４３（図３参照）を操作して例えば１のポジション、１．４°に合わせ、電源を入れると、前記検知部４１が前記パチンコ機２０の設置角度を測定し、前述同様、駆動装置６０に対して前記制御部４４から補正指示信号が発信される。
【００２５】
駆動装置６０は、モータ５７が回転し減速ギヤヘッド５８を介して駆動部材６２をケース６１の中に引き込む。駆動部材６２の先端部は前記外枠２１の上板２５に取り付けられた金具７０と結合しているので、前記上板２５は僅かに後方へ移動する。これによって前記外枠２１は傾き角が変わり、前記外枠２１の傾斜角度が１．４°になるまで補正される。このようにして、前記遊技場に設置された全てのパチンコ機２０が自動的に傾斜角１．４°に設定される。
【００２６】
前述した設置角度自動調節装置７同様、前記パチンコ機２０の遊技中であっても、この傾斜角度の自動補正は実行される。例えば、遊技者が遊技中に前記パチンコ機２０の下部を強く押して前記パチンコ機２０の傾斜角を変えた場合、前記外枠２１に取り付けられた前記検知装置４０の前記検知部４１は、その角度の変化を検知し、前記駆動装置６０が作動して前記パチンコ機２０を設定された角度１．４°に戻す。
【００２７】
前記実施形態では、外枠２１の下板２４または上板２５の中央付近を駆動装置５０または６０で押圧または引張って外枠２１を動かしたが、これに限定されるものではなく、例えば、駆動装置５０を２つ用いて、左側板２３の下部と右左側板の下部を押圧して、外枠２１を動かしても良い。
【００２８】
前記実施形態では、検知装置４０の検知部４１をパチンコ機２０の遊技中であっても常時作動させることで説明したが、必ずしも常時作動させなければならない訳ではなく、例えば、１０秒間隔あるいは１分間隔など一定時間のサイクルで定期的に検知するようにしても良い。
【００２９】
前記実施形態では、前記検知部４１が検知した角度が前記角度設定部４３の設定角度と異なる時は、検知した角度を表示し、表示した角度を点滅させて警告をしたが、警告表示ランプを設置する、あるいは警告音を発するブザーを設置する方法でも良い。
【００３０】
前記実施形態では、前記角度設定部４３にロータリ式スイッチを採用したが、これに限るものではなく、例えば、押しボタン式のスイッチを選択する形式でも良い。
【００３１】
前記実施形態では、前記検知部４１が検知した角度が前記角度設定部４３の設定角度と異なる時は、検知した角度を前記制御部に設けられた半導体メモリ４８に記録するようにしたが、記録装置を別に設けても良い。
【００３２】
前記実施形態では、遊技場に設置されるパチンコ機２０の全てを同じ角度に設定することで説明したが、必ずしも全てを同じ角度に設定する必要はなく、１台１台を任意の角度に設定しても、なんら問題はない。
【００３３】
前記実施形態では、設置角度自動調節装置（角度検知装置と駆動装置）を１台１台のパチンコ機に独立してとりつけ、角度検知装置から駆動装置に対して直接に補正指示信号を送って補正することを指示する所謂スタンドアローン形式で説明したが、本発明による設置角度自動調節装置は、これに限定されるものではなく、例えば、遊技場に設置された全てのパチンコ機に取り付けられた全ての角度検知装置と駆動装置を、遊技場全体を統括する統括コンピュータに接続して、前記パチンコ機の設置角度の設定や前記駆動装置への補正指示信号の発信を統括コンピュータを経由して行う、あるいは、前記角度検知装置の検知部が設定値以外の角度を検知したときに発する警報を統括コンピュータに表示する、あるいは、前記半導体メモリに記憶させる角度データを統括コンピュータの記憶装置に記録するなど、統括コンピュータを用いた方法を採用しても良い。
【図面の簡単な説明】
【００３４】
【図１】本発明の設置角度自動調節装置を裏側に取り付けたパチンコ機の外観を示す斜視図である。
【図２】島枠とパチンコ機の外枠に設置角度自動調節装置を取り付けた状態を示す斜視図である。
【図３】角度検知装置の外観を示す斜視図である。
【図４】設置角度自動調節装置のブロック図である。
【図５】駆動装置の外観を示す斜視図である。
【図６】図２の断面図である。
【図７】設置角度自動調節装置の作動のフローチャートである。
【図８】別の実施形態の設置角度自動調節装置を島枠と外枠に取り付けた状態を示す斜視図である。
【図９】図８における駆動装置の取付けを説明する図である。
【図１０】図９のＡ−Ａ矢視断面図である。
【符号の説明】
【００３５】
７，８  設置角度自動調節装置
１０  島枠
１１，２４  下板
１２，２５  上板
２０  パチンコ機（遊技機）
２１  外枠
２３  左側板
３０  遊技機本体
３３  遊技盤
４０  角度検知装置
４１  検知部
４２  表示部
４３  角度設定部
４４  制御部
５０，６０  駆動装置
５１，６１  ケース
５２，６２  駆動部材
５３，６３  取付板
【図１】
2008284280.tif 000003
【図２】
2008284280.tif 000004
【図３】
2008284280.tif 000005
【図４】
2008284280.tif 000006
【図５】
2008284280.tif 000007
【図６】
2008284280.tif 000008
【図７】
2008284280.tif 000009
【図８】
2008284280.tif 000010
【図９】
2008284280.tif 000011
【図１０】
2008284280.tif 000012